(57)【特許請求の範囲】
【請求項１】
電子機器に対して、離脱可能に装着される着脱ユニットにおいて、
複数の記憶媒体を収納する収納部と、
前記収納部を覆う蓋手段と、
前記収納部に収納された複数の記憶媒体それぞれを排出方向に付勢する付勢手段と、
前記収納部に収納された複数の記憶媒体それぞれが排出方向に移動することを抑止する第１の抑止手段と、
前記電子機器から駆動力を受け、前記複数の記憶媒体の内、排出すべき記憶媒体に対する前記第１の抑止手段による抑止を解除する解除手段と、
前記収納部に収納された記憶媒体が排出方向に移動することを抑止し、前記蓋手段が開かれることにより抑止を解除する第２の抑止手段と
を有することを特徴とする着脱ユニット。
【請求項２】
前記排出すべき記憶媒体は、不具合のある記憶媒体であることを特徴とする請求項１に記載の着脱ユニット。
【請求項３】
着脱ユニットと、該着脱ユニットが離脱可能に装着される電子機器とを有する電子機器本体装置において、
前記着脱ユニットは、
複数の記憶媒体を収納する収納部と、
前記収納部を覆う蓋手段と、
前記収納部に収納された複数の記憶媒体それぞれを排出方向に付勢する付勢手段と、
前記収納部に収納された複数の記憶媒体それぞれが排出方向に移動することを抑止する第１の抑止手段と、
前記電子機器から駆動力を受け、前記収納部に収納された記憶媒体に対する前記第１の抑止手段による抑止を解除する解除手段と、
前記収納部に収納された記憶媒体が排出方向に移動することを抑止し、前記蓋手段が開かれることにより抑止を解除する第２の抑止手段と
を有し、
前記電子機器は、
前記収納部に収納された複数の記憶媒体の内、不具合がある記憶媒体があるか否かを判定する不具合記憶媒体判定手段と、
前記排出判定手段において、前記収納部に収納された複数の記憶媒体の内、不具合があると判定された記憶媒体に対する前記第１の抑止手段による抑止を解除するために、前記解除手段に駆動力を伝達する駆動力伝達手段と
を有する
ことを特徴とする電子機器本体装置。
【請求項４】
複数の記憶媒体を個別に収納する収納手段と、
前記複数の記憶媒体のそれぞれを、個別に前記収納手段から取り出し方向に変位させるように付勢する付勢手段と、
前記収納部を覆う蓋手段と、
前記付勢手段による記憶媒体の変位を、個別に抑止する抑止手段と、
取り出すべき記憶媒体に対する前記抑止手段による抑止を解除する解除手段とを有し、
前記蓋手段が開かれた場合、前記抑止手段により抑止されていない記憶媒体が前記収納手段から取り出し方向に変位することを特徴とする着脱ユニット。」
【発明の詳細な説明】
【０００１】
【発明の属する技術分野】
本発明は、電子機器に対して、離脱可能に装着される着脱ユニットに関する。
【０００２】
【従来の技術】
ハードディスクのような記憶媒体は、パーソナルコンピュータやサーバ等の電子機器に広く使用されている。記憶媒体には、ＯＳ（Operating System）に代表されるシステムソフトウェアやアプリケーションソフトウェア、アプリケーションデータなどの様々なデータを記憶することが可能である。最低限のシステム構成では、１つの記憶媒体にあらゆる情報を記憶させ、電子機器本体装置を動作させている。しかし、その唯一の記憶媒体に、故障や動作不良等の不具合が生じると、記憶したデータが読み出せなくなり、電子機器本体装置が正常に動作しないという問題が生じる可能性がある。
【０００３】
そこで、複数個の記憶媒体相互間でデータをバックアップし、データ保護を図ることを目的とする、ディスクアレイシステムが提案されている。
【０００４】
ディスクアレイシステムは、２つ以上の記憶媒体を含み、少なくとも各記憶媒体が、ディスクアレイシステム上に記憶されるデータの最初の部分のための一時記憶装置として働くように構成され、またこのデータの第２の部分のためのバックアップ記憶装置として働くように構成されている。
【０００５】
ディスクアレイシステムは、予め電子機器本体装置に組みこまれているものもあるが、複数の記憶媒体をユニット化し、一括して、電子機器本体装置に対し着脱自在にするものも提案されており、このようなディスクアレイシステムでは、着脱性のみならず電子機器本体装置外のオフライン下での管理にも有効である（たとえば、特許文献１参照）。
【０００６】
また、上記複数の記憶媒体が連携してデータを記録するディスクアレイシステムにおいては、記憶媒体相互間でデータをバックアップしているため、システムを構成する複数の記憶媒体は正常に動作するものを使用する必要があり、不具合のあるものは直ちに交換する必要がある。その状態で放置すると、システムに記憶した情報を読み出せなくなるという問題を生じる可能性がある。そこで、電子機器本体装置に着脱可能な記憶媒体のうち、不具合のある記憶媒体を特定して、交換作業を容易にするために、複数の記憶媒体の中に不具合がある場合に、不具合判定手段によりデータ路に対し着脱自在に結合された結合を解除し、不具合記憶媒体を付勢手段によりケース前面より突出するようにしたものが提案されている（たとえば、特許文献２参照）。
【０００７】
【特許文献１】
特開平１１―２８２６３６号公報
【特許文献２】
特開平１０−１９８５２７号公報
【０００８】
【発明が解決しようとする課題】
しかし、上記従来の上記ディスクアレイシステムのうち前者では、複数の記憶媒体を一括して電子機器本体装置に装着および離脱する着脱ユニットにおいて、内蔵されている複数の記憶媒体の中に不具合記憶媒体があることが検出された場合、不具合情報を表示する手段が無いので、ユーザは電子機器本体装置が有するＣＲＴ（Cathode Ray Tube）等の表示手段によって不具合情報および不具合記憶媒体の箇所を知る必要があった。また、その場合、電子機器本体装置における着脱ユニットを収納する位置が、ＣＲＴ等の表示手段の位置から離れていたり、着脱ユニットの電子機器本体装置からの取り出しによりその表示手段が見えなかったりしたときには、不具合記憶媒体を取り出す操作者は、表示手段によって示された不具合記憶媒体の箇所の記憶を頼りにそれを特定し取り出しする操作を行うことになり、多々記憶違いによる選定ミスにより前記当不具合記憶媒体を取り出しせずに良品を取り出して廃却してしまうという問題があった。
【０００９】
また、上記従来の上記ディスクアレイシステムのうち後者では、ケース内に設けられたフックによる係止を電磁石などのアクチュエータにより解除し、不具合記憶媒体を外しているので、複数のうちの特定の記憶媒体を取り外す必要が生じた場合、電磁石を起動してフックを解除するといった面倒な操作が必要となる。更に、セキュリティのために前記憶媒体を外し安全な場所に保管する場合、記憶媒体の数に応じた解除作業を繰り返す必要がある。また、ディスクアレイ制御部自体に不具合が発生し解除出来なくなった場合などは前記フック係止状態で放置せざるを得ない。停電等でシステムを起動出来ない場合も同様な問題が生ずる。更には、レイド構成を持ち有機的に関連づけられた一群の記憶媒体を、個々の状態で保管した場合、他の物とり違えたりする危険性がある。
【００１０】
本発明は、着脱ユニットが電子機器から離脱された状態でも、駆動手段を用いず、着脱ユニットから排出すべき記憶媒体を排出することを目的とする。
【００１１】
【課題を解決するための手段】
上記目的を達成するため、本発明の着脱ユニットは、電子機器に対して、離脱可能に装着される着脱ユニットにおいて、複数の記憶媒体を収納する収納部と、前記収納部を覆う蓋手段と、前記収納部に収納された複数の記憶媒体それぞれを排出方向に付勢する付勢手段と、前記収納部に収納された複数の記憶媒体それぞれが排出方向に移動することを抑止する第１の抑止手段と、前記電子機器から駆動力を受け、前記複数の記憶媒体の内、排出すべき記憶媒体に対する前記第１の抑止手段による抑止を解除する解除手段と、前記収納部に収納された記憶媒体が排出方向に移動することを抑止し、前記蓋手段が開かれることにより抑止を解除する第２の抑止手段とを有することを特徴とする。
【００１５】
【発明の実施の形態】
以下、本発明の実施の形態を図面に基づいて詳細に説明する。
【００１６】
図１は、電子機器本体装置７に着脱ユニット１が着脱されるときの様子を示す図である。また、図２は、着脱部７ａの内部を示す図である。さらに、図３は、着脱ユニット１および該着脱ユニット１に内蔵する記憶媒体を示した斜視図であり、図４は、収納された記憶媒体の電子機器本体装置と接続を行う外部接続用コネクタ部を示す斜視図である。
【００１７】
これらの図において、電子機器本体装置７は、着脱ユニット１を装着するための着脱部７ａを有し、着脱ユニット１は、着脱部７ａに着脱可能となっている。着脱の際は、着脱ユニット１の着脱過程において、着脱部７ａ内部の着脱ユニット１と接する面が着脱ユニット１の外周をガイドし、電子機器本体装置７に対して所定の位置に着脱ユニット１が位置するようになっている。また、着脱ユニット１の装着方向と対向する方向には、基板１２があり、基板１２上には、リセプタクルコネクタ８〜１１が表面実装されている。
【００１８】
また、着脱ユニット１には、手で持ち、容易に着脱することができるように、把持部２ｂが取り付けられている。把持部２ｂは、保持部２ｂ２を有し、保持部２ｂ２を着脱ユニット１から遠ざける方向に、回転中心２ｂ１を中心とした、略角度９０度の回転運動をさせ保持可能状態となる。このようにして、把持部２ｂの保持部２ｂ２を持って着脱ユニット１を保持し、着脱を行う。
【００１９】
着脱ユニット１には、４つの記憶媒体３〜６が収納されている。記憶媒体３〜６は、電子機器本体装置７の内に装着され、互いに連携して、データを記録するディスクアレイシステムを構成する。着脱ユニット１において、把持部２ｂと対向する面には１ａ等の４つの開口部を有し、それらの開口部１ａ等から記憶媒体３〜６がそれぞれ有する唯一の外部接続用コネクタ３ａ〜６ａが外部に露出するようになっており、着脱ユニット１に記憶媒体３〜６を収納し、それを着脱部７ａに装着すると、各々の外部接続用コネクタ３ａ〜６ａが、電子機器本体装置７側のリセプタクルコネクタ８〜１１とそれぞれ嵌合し、電気的接続を行う。着脱ユニット１内の記憶媒体３等は、着脱ユニット１の後述の収納部１００（図５参照）の収納箇所における記憶媒体３等と接する面によって設定位置範囲に位置するように案内されており、また着脱ユニット１も、着脱部７ａの所定の位置範囲にあるようにガイドされているため、着脱ユニット１に収納された記憶媒体３等の外部接続用コネクタ３ａ等とリセプタクルコネクタ８等の嵌合が正しく行えるようになっている。
【００２０】
基板１２の、リセプタクルコネクタ８等が設けられている面と反対の面には、リセプタクルコネクタ８等と本体装置７のメイン基板（図示せず）とを接続するためのフレキシブルケーブル（図示せず）が実装され、着脱ユニット１が着脱部７ａに装着されると、外部接続用コネクタ３ａ等、リセプタクルコネクタ８等およびフレキシブルケーブルが互いに導通され、電気的接続経路を形成する。電子機器本体装置７によるデータの読み出しおよび書き込み等の記録再生動作は、この経路によって行われる。このようにして、着脱ユニット１が着脱部７に装着されることによって、着脱ユニット１に収納された記憶媒体３〜６へのアクセスが可能な状態となる。
【００２１】
さらに、着脱ユニット１は、記憶媒体３〜６の取り出し方向への変位を係止するための蓋２を有している。蓋２は、着脱ユニット１に対して回転中心２ｃ部を中心として回転可能に支持されている。通常電子機器本体装置７に装着して使用される際は、蓋２は閉じており、記憶媒体３〜６を交換するときに開成する。また、蓋２は、開成方向に勢付されており、左右のロック解除レバー２ａを倒すと、蓋２が開き、開成された蓋２を所定の位置まで閉めると、自動的に蓋２に開成の規制がかかり、次回ロック解除レバー２ａを倒すまで、蓋２は閉まった状態を維持するように構成されている。
【００２２】
次に、記憶媒体３〜６を着脱ユニット１に収納する方法について説明する。
【００２３】
図５は、蓋２を開け、記憶媒体３〜６を着脱ユニット１の収納部１００に収納する状態を示す。同図において、蓋２を開くと、収納部１００が露出する。収納部１００は４つの収納箇所を備え、記憶媒体３〜６がそれぞれ一つずつ収納される。記憶媒体３〜６を、図３に示したように記憶媒体３の位置まで収納した後、蓋２を閉めると、蓋２が記憶媒体３〜６の後端面を押圧し、記憶媒体３〜６を所定の位置まで移動させる。その後、蓋２が所定の位置まで来たとき、前述のように、蓋２にロックが掛り記憶媒体３〜６の収納が完了する。
【００２４】
次に、不具合検知方法について説明する。なお、ここでは、記憶媒体がハードディスク装置である場合について説明する。
【００２５】
図１０は、電子機器本体７および着脱ユニット１内の記憶媒体３〜６の制御機能構成を表したブロック図である。なお、説明に際して、４つの記憶媒体３〜６のうち、記憶媒体３を代表として説明する。
【００２６】
電子機器本体装置７と着脱ユニット１に収納された記憶媒体３〜６は、インターフェース３７を介して接続され、ディスクアレイシステムを構成している。図１０に示す通り、電子機器本体装置７は、ＣＰＵ（Central Processing Unit）３８、ＲＡＭ（Random Access Memory）４０、ＲＯＭ（Read-Only Memory）３９、バックアップ電源付きのＲＡＭからなる記憶装置４３、外部周辺装置との接続を行うための外部接続インターフェース４４、ＬＳＩ等で構成されて記憶媒体３〜６と接続される複数のインターフェース３７、タイマ４２、カウンタ４１、アクチュエータ２１〜２４を駆動するための制御部３６およびアクチュエータ２１〜２４によって構成されている。
【００２７】
ＲＯＭ３９には、制御プログラムが格納されており、ＣＰＵ３８は、その制御プログラムに基づき、ＲＡＭ４０をワークエリアとして記憶媒体３へのアクセス処理など電子機器本体装置７の制御を行う。また、ＣＰＵ３８は、インターフェース３７に接続された記憶媒体３およびアクチュエータ２１〜２４も制御する。
【００２８】
一方、記憶媒体３は、ＣＰＵ３０、ＲＯＭ３１、ＲＡＭ３２、磁気ディスクおよびＣＰＵ３０で判断した情報を記録する判別情報記録部３５を有する記録ディスク部３４およびタイマ３３を有している。判別情報記録部３５は、ＣＰＵ３０の判断に基づき、エラーの起きた回数を累積記憶したり、欠陥セクタありと判断する度に欠陥セクタの個数を累積記憶したり、記憶媒体３が稼動する度に稼働時間を累積記憶したりする。また、ＲＯＭ３１には、制御プログラムが格納されており、ＣＰＵ３０は、その制御プログラムに基づき、ＲＡＭ３２をワークエリアとして記憶媒体３の制御を行う。本実施の形態のディスクアレイシステムは以上のように構成されている。
【００２９】
次に、電子機器本体装置７が検知する、記憶媒体３の不具合様態を説明する。
【００３０】
第１に、不具合とは、ハードディスク装置に対するデータの読み出しおよび書き込みのうち、少なくとも一方が一定回数を超えた状態を指す。たとえば、ハードディスクの表面に傷等が発生してデータの破壊が起きた状態や、ハードディスク装置内部の電気部品の故障などが生じてアクセスが一切できない状態である。この場合、記憶媒体３は不具合情報を電子機器本体装置７に出力することができないので、不具合の検知は電子機器本体装置７内で行う。ＣＰＵ３８は、記憶媒体３に対して一定回数のアクセスを行い、データの読み書きが行えなかった回数をカウンタ４１にてカウントし、それを記憶装置４３に累積記憶し、アクセスする度にカウント数を監視するようにしておき、カウント数が所定の数を超えたときに不具合ありと判断する。また、タイマ４２で、ＣＰＵ３８より記憶媒体３へのアクセスの指令を出してから応答が戻ってくるまでの時間を測り、所定の時間内に反応が無い場合、つまりタイムアウトしたときも不具合ありと判断する。
【００３１】
第２に、完全にデータの読み書きができない状態でなくとも、たとえばデータの読み書き等のエラーが一定レベルを超える頻度で発生したり、読み書きができない欠陥セクタの数が一定数以上に達したり、累積動作時間が所定の時間を超えたか等、各ハードディスク装置の動作状態もしくはハードディスクの状態が予め定められた判別項目について所定の条件を充足した場合にも不具合と判断する。この場合、記憶媒体３は不具合情報を電子機器本体装置７に出力することができるので、不具合の検知を記憶媒体３内で行い、その不具合情報を電子機器本体装置７に伝える。具体的には、タイマ３３によってある時間を測り、その時間間隔でＣＰＵ３０が判別情報記録部３５にアクセスし、判別情報記録部にエラーの起きた回数、欠陥セクタの個数、稼働時間を累積記憶させておく。同時に、ＣＰＵ３０が判別情報記録部３５にアクセスする度に、以下の条件▲１▼〜▲３▼のいずれかに該当するかを監視し、もし条件を満たしているのであれば、電子機器本体装置７に対して不具合情報を出力し、電子機器本体装置７内のＣＰＵ３８が不具合ありと判断する。
▲１▼不良セクタがＬ個以上有ったか
▲２▼読み書きエラー発生回数がＭ回以上有ったか
▲３▼累積動作時間がＮ時間以上有ったか
（ただし、Ｌ、Ｎ、Ｍは、任意の正の整数である）
以上の不具合情報に基づいて、電子機器本体装置７は、後述のアクチュエータ２１〜２４（図８参照）を駆動する。
【００３２】
次に、上記不具合検知に基づいて、電子機器本体装置７が有する係止・解除機構を動作させ、着脱ユニット１内の記憶媒体３等の変位の係止を解除する方法を説明する。
【００３３】
図６は、着脱ユニット１の係止・解除機構を表した一部破断図である。また、図７は、図６の係止・解除機構および付勢機構を拡大した図である。
【００３４】
両図において、ロック部材１３は、着脱ユニット１の筐体に固定された軸によって回転可能に支持されている。ロック部材１３には、記憶媒体３の溝３ｂに入り込み、記憶媒体３の変位を係止するための係止部１３ａが、先端に設けられている。図のロック部材１３の状態は、記憶媒体３の変位を係止している位置を示し、係止部１３ａが記憶媒体３より離れる方向に回動し、係止を解除すると、ロック部材１４の場所に位置する。記憶媒体３〜６を収納するときは、通常係止を解除した状態にしておく。
【００３５】
ロック部材１３は、該ロック部材１３と連動して動く連結棒１７により支持されている。連結棒１７は、着脱ユニット１の筐体に固定された２つのピンにガイドされ、左右に平行移動するように支持されている。また、連結棒１７の一部には、ラックが形成されており、ラックは、着脱ユニット１の筐体に固定された軸に回転可能に支持されたピニオン１８と噛合し、連結棒１７が移動すると、ピニオン１８が回転する。さらに、ピニオン１８は、着脱ユニット１に固定された２つのピンにガイドされ、一部にラックが形成されている連結棒１９の前記ラック部分に噛合し、連結棒１９を移動させる。連結棒１９には、ロック部材１３と同様に、記憶媒体３の変位を係止するロック部材２０が連動して動作するように支持され、ロック部材１３とロック部材２０は連動して動く。したがって、連結棒１７，１９は、一方が係止を掛けているときには、他方も係止を掛け、また一方が係止を解除しているときには、他方も解除している状態となっている。また、連結棒１７，１９には２つの安定状態を有する反転バネ２１が掛設されており、連結棒１７，１９の動きに連動して選択的に、係止を解除した状態（第１の安定状態）と、係止をした状態（第２の安定状態）で停止するようになっている。安定状態にあるときには、外力を加えない限り、連結棒１７，１９およびそれと連動する機構は、その状態を維持するようになっている。
【００３６】
外力を加えて係止を解除する際には、面１３ｂ等を押圧し、第１の安定状態になるまでロック部材１３を回転させれば良い。逆に、係止を掛けるときには、面１３ｃを押圧し、第２の安定状態になるまでロック部材１３を回転させれば良い。
【００３７】
また、図６に示すように、着脱ユニット１には、記憶媒体３を取り出し方向に付勢する圧縮バネ２６が設けられている。記憶媒体３が収納されると、圧縮バネ２６が圧縮され、その反力が記憶媒体３に掛る。この状態で記憶媒体３を保持し、前述のロック部材１３を掛ければ、ロック部材１３により記憶媒体３の変位が係止され、圧縮バネ２６が圧縮されたままになり、記憶媒体３には圧縮バネ２６による反力が掛ったままとなる。したがって、蓋２を開成した状態で前述ロック部材１３による係止を解除すれば、記憶媒体３が取り出し方向に押出される。着脱ユニット１は、他の記憶媒体４〜６の収納される収納位置にも、同様のロック部材等の係止・解除を行う機構および圧縮バネによる付勢する機構を有する。
【００３８】
このように、前記蓋２とともに、ロック部材１３が記憶媒体３の取り出し方向への変位を係止する。
【００３９】
さらに、電子機器本体装置７がロック部材による係止を解除するときの様子を説明する。
【００４０】
図８は、電子機器本体装置７に装着された着脱ユニット１および電子機器本体装置７内部を示すために一部を破断した斜視図である。
【００４１】
モータやプランジャ等のアクチュエータ２１〜２４のうち、アクチュエータ２１は、前述のロック解除を行うための面１３ｂ（図６を参照）を押圧する位置に配置されて固定されており、アクチュエータ２１が駆動されたときに、面１３ｂを押圧するように構成されている。前述のように、電子機器本体装置７による不具合記憶媒体の検知が行われると、不具合記憶媒体に対応する位置にあるアクチュエータが選択的に駆動され、不具合記憶媒体の係止・解除を行う機構を構成するロック部材１３および２０が記憶媒体３の溝３ｂから離脱し、記憶媒体３の係止が解除される。図８では、アクチュエータ２２が駆動され、ロック部材１４が解除された様子を示している。
【００４２】
次に、図８の状態から、着脱ユニット１を取り出したときの様子を説明する。
【００４３】
図９は、着脱ユニット１を電子機器本体装置７より取り出し、蓋２を開いたときの様子を表している。
【００４４】
不具合記憶媒体４に対応する係止が解除された状態で、着脱ユニット１を電子機器本体装置７より取り出し、蓋２を開けると、不具合記憶媒体４の取り出し方向への変位の係止は全て排除されており、前述の圧縮バネによって、不具合記憶媒体４のみが取り出し方向に押出される。
【００４５】
このようにして、不具合記憶媒体４のみが取り出し方向に押出されるので、確実に不具合記憶媒体４を特定することができ、さらにそのまま不具合記憶媒体４を掴んで交換することができるので操作性が良い。また、電子機器本体装置７に着脱ユニット１が装着されているときであっても、前記蓋２を開成できるようになっていれば、上述のような不具合記憶媒体４の明示方法により、不具合記憶媒体４を特定したり交換したりすることができることは言うまでもない。
【００４６】
次に、本発明の第２の実施形態について説明する。
【００４７】
図１１は、図７で説明したロック部材１３の他の実施形態を表した一部破断図である。
【００４８】
ロック部材５０は、前記ロック部材１３が有する機能と略同様の機能を有する。異なる点は、被押圧部５０ｃを有することである。図１１（Ａ）のように、記憶媒体３が被押圧部５０ｃの方へ進入してくると、記憶媒体３の前面が被押圧部５０ｃを押し、ロック部材５０が回転中心５０ｂを中心として回転し、係止部５０ａが溝３ｂに入り記憶媒体を係止した、図１１（Ｂ）の状態となる。
【００４９】
このように、記憶媒体３の前面で被押圧部５０ｃを押し記憶媒体３の係止することができる。
【００５０】
前述のように、この状態でロック部材５０が安定するようにしておけば、ロック部材５０が回転しない限り、記憶媒体３の係止状態を維持することができるようになる。
【００５１】
【発明の効果】
本発明によれば、着脱ユニットが電子機器から着脱された状態でも、駆動手段を用いず、着脱ユニットから排出すべき記憶媒体を排出することができる。
【図面の簡単な説明】
【図１】電子機器本体装置７に着脱ユニット１が着脱されるときの様子を示す図である。
【図２】着脱部７ａの内部を示す図である。
【図３】着脱ユニット１および該着脱ユニット１に内蔵する記憶媒体を示した斜視図である。
【図４】収納された記憶媒体の電子機器本体装置の接続を行う外部接続用コネクタ部を示す斜視図である。
【図５】蓋２を開け、記憶媒体３〜６を着脱ユニット１の収納部１００に収納する状態を示す図である。
【図６】着脱ユニット１の係止・解除機構を表した一部破断図である。
【図７】図６の係止・解除機構および付勢機構を拡大した図である。
【図８】電子機器本体装置７に装着された着脱ユニット１および電子機器本体装置７内部を示すために一部を破断した斜視図である。
【図９】着脱ユニット１を電子機器本体装置７より取り出し、蓋２を開いたときの様子を表した図である。
【図１０】電子機器本体７および着脱ユニット１内の記憶媒体３〜６の制御機能構成を表したブロック図である。
【図１１】図７で説明したロック部材１３の他の実施形態を表した一部破断図である。
【符号の説明】
１            着脱ユニット
２            蓋
３〜６        記憶媒体
３ａ〜６ａ    外部接続用コネクタ
７            電子機器本体装置
７ａ          着脱部
８〜１１      リセプタクルコネクタ
１３〜１６    ロック部材
２１〜２４    アクチュエータ
２６          圧縮バネ
５０          ロック部材
５０ａ        係止部
５０ｃ        被押圧部
１００        収納部
【図１】
0003728299.tif 000002
【図２】
0003728299.tif 000003
【図３】
0003728299.tif 000004
【図４】
0003728299.tif 000005
【図５】
0003728299.tif 000006
【図６】
0003728299.tif 000007
【図７】
0003728299.tif 000008
【図８】
0003728299.tif 000009
【図９】
0003728299.tif 000010
【図１０】
0003728299.tif 000011
【図１１】
0003728299.tif 000012